(57)【特許請求の範囲】
【請求項１】
事務所または店舗等となる建物の各階部分を、一定広さの方形の平面区画である複数のブロックに区分し、各ブロックに、予め準備された複数のブロック別平面プランの中から選択したプランを割り付けて建物全体の平面プランを作成する装置であって、前記各ブロック別平面プランを記憶した平面プラン作成補助装置と、入力装置の入力に従い、前記平面プラン作成補助装置に記憶された任意のブロック別平面プランを図形表示装置の画面に表示すると共に、画面上で建物全体の図に対してブロック別平面プランの図を割り付け可能で、かつ建物全体の図形等の自由な作画が可能な割付け作画手段を備え、前記平面プラン作成補助装置に記憶したブロック別平面プランのうち、ブロック内またはブロック周辺に通路を設けるものは、ブロックの１辺と平行な直線通路を有する種類と、ブロックの隣合う２辺に沿うＬ形の通路を有する種類と、ブロックの１辺の外側に沿う通路を想定した種類との３種類に大別されるものとし、これらの大別された各ブロック別平面プランは、内部を均等な小ブロックに区画し、通路パターンを設定したものであって、上記小ブロックは、１辺の長さがモジュールＰに等しい正方形とし、通路幅は２Ｐの幅を基準とし、かつ上記３種類のうちのブロックの１辺と平行な直線通路を有するブロック別平面プランは、小分類として、通路幅が２Ｐの種類と、３Ｐの種類と、ブロック幅を半分に区切ってその一方の全体または一部を通路としたハーフブロック型とに分類されたものとし、かつ上記各ブロック別平面プランは、躯体構造的には、外壁を有しないのものを基本モデルとし、この他に１面に外壁を有するモデルと、２面に外壁を有するモデルとを準備し、上記各ブロック別平面プランは、ブロックの４隅の柱と間仕切り壁とを含み、詳細設計および価格設定がなされたものとし、かつ各ブロック別平面プランの上記柱と間仕切り壁とは、隣に配置されるブロック別平面プランと共用されるものとし、前記の３種類に大別されるブロック別平面プランは、会議室用、または衛生設備用等の用途別に各々複数種類設けた建物の平面プラン作成装置。
【発明の詳細な説明】
【０００１】
【産業上の利用分野】
この発明は、各種の建物、特に工場内事務所や店舗等の建物において、平面プランを作成する建物の平面プラン作成装置に関する。
【０００２】
【従来の技術】
工場内事務所等の建物の平面プランを作成する場合、一般に、まず図１６（Ａ）に示すようにゾーニングを行う。すなわち、床面の全体に対して、出入口、通路、衛生設備スペース、階段玄関スペース、執務補助スペース（会議室、その他）等の大まかな配置を設定する。このゾーニングの後、その用途、規模等に応じて様々なスペース配分および配置を検討し、衛生設備コア、玄関、階段、会議室等の具体的な平面プランを作成する。同図（Ｂ）はその具体的平面プランの一例を示す。
【０００３】
【発明が解決しようとする課題】
しかし、ゾーニングから、具体的な平面プランを作成する過程では、作成者に深い経験や知識が要求され、未経験者や経験の少ない者のプランニングは容易でない。例えば、便所や給湯室等の衛生設備スペースでは、その事務所を使用する人数や男女比率等に応じて各衛生設備の個数や配置を定める必要があり、また会議室では、その平均的な会議参加人数や使用頻度、机の配置等を考慮して部屋の広さや数を決める必要がある。さらに、構造躯体の他、照明や、給排水、電気配線等も考慮する必要がある。これらの種々の要望に応じて、各部屋を使い易く、かつ無駄無く使用できるようにプランを作成することが要望される。平面プランの違いによる概算価格についても考慮する必要がある。
【０００４】
このように、合理的な平面プランの作成は非常に難しく、専門知識が要求され、検討に時間を要する。また、プランの変更も容易でない。そのため、施主に対してプランの提案や見積りを行うのに日数がかかる。
また、任意の平面プランに対応するためには、建物躯体の部品種類数が増え、生産効率が低下して原価が高くなるという問題点も生じる。
【０００５】
この発明の目的は、高度な専門知識を必要とせずに平面プランが容易に作成でき、さらに躯体の部品種類数の削減や生産効率の向上による原価低減にもつながる建物の平面プラン作成装置を提供することである。
【０００６】
【課題を解決するための手段】
この発明の建物の平面プラン作成装置は、事務所または店舗等となる建物の各階部分を、一定広さの方形の平面区画である複数のブロックに区分し、各ブロックに、予め準備された複数のブロック別平面プランの中から選択したプランを割り付けて建物全体の平面プランを作成する装置であって、前記各ブロック別平面プランを記憶した平面プラン作成補助装置と、入力装置の入力に従い、前記平面プラン作成補助装置に記憶された任意のブロック別平面プランを図形表示装置の画面に表示すると共に、画面上で建物全体の図に対してブロック別平面プランの図を割り付け可能で、かつ建物全体の図形等の自由な作画が可能な割付け作画手段を備える。各ブロックは、正方形であっても、長方形であってもよい。準備するブロック別平面プランのうち、ブロック内またはブロック周辺に通路を設けるものは、次の３種類に大別されるものとする。すなわち、ブロックの１辺と平行な直線通路を有する種類と、ブロックの隣合う２辺に沿うＬ形の通路を有する種類と、ブロックの１辺の外側に沿う通路を想定した種類とを準備する。
これらの大別された各ブロック別平面プランは、内部を均等な小ブロックに区画し、通路パターンを設定したものであって、上記小ブロックは、１辺の長さがモジュールＰに等しい正方形とし、通路幅は２Ｐの幅を基準とし、かつ上記３種類のうちのブロックの１辺と平行な直線通路を有するブロック別平面プランは、小分類として、通路幅が２Ｐの種類と、３Ｐの種類と、ブロック幅を半分に区切ってその一方の全体または一部を通路としたハーフブロック型とに分類されたものとする。かつ上記各ブロック別平面プランは、躯体構造的には、外壁を有しないのものを基本モデルとし、この他に１面に外壁を有するモデルと、２面に外壁を有するモデルとを準備する。
各ブロック別平面プランは、ブロックの４隅の柱と間仕切り壁とを含むものとし、各ブロック別平面プランの上記柱と間仕切り壁とは、隣に配置されるブロック別平面プランと共用されるものとする。また、上記各ブロック別平面プランは、詳細設計および価格設定がなされたものとする。
【０００７】
前記の３種類に大別されるブロック別平面プランは、会議室用、または衛生設備用等の用途別に各々複数種類準備する。
各ブロック別平面プランは、原則として、１辺に平行な対称軸（Ｘ）、およびこの対象軸（Ｘ）と直交する方向の対象軸（Ｙ）回りの反転と、対角線（Ｕ）回りの反転と、任意ブロックへの移動とが自由なものとすることが望ましい。
また、前記の３種類に大別されるブロック別平面プランとは別に、ブロック内を仕切りなしの空間としたブロック別平面プランと、玄関を有するブロック別平面プランと、階段を有するブロック別平面プランとを準備することが望ましい。
【０００８】
この発明の建物の平面プラン作成補助装置は、前記ブロック別平面プランの図形データを記憶した記憶媒体を備えるものである。
【０００９】
【作用】
この発明方法によると、予め準備されたブロック別平面プランの組み合わせで全体の平面プランが作成できる。ブロックは方形であるため、一般のブロック別平面プランでは各対称軸回りでの反転が可能となる。ブロック内での間仕切りや設備配置等の詳細は、予めブロック別平面プランに定めておく。これにより、平面プランの作成段階では詳細な検討が軽減され、高度な専門知識を必要とせずに平面プランが作成できる。
【００１０】
この場合に、各ブロック別平面プランは、通路を中心として前記の３種類に大別されるものとしてあるため、ブロック別平面プランの選択が容易で、かつ準備するブロック別平面プランを少ない種類数として様々な要望に対応させることができる。
すなわち、一般に設計されている各種の平面プランを鋭意検討した結果、これを所定の大きさのブロックに分割した場合、通路を中心として考えて、殆どの場合が前記の３種類に大別できることがわかった。そのため、この３種類に限定してブロック別平面プランを準備することにより、必要性の少ないブロック別平面プランをなくし、実際に必要なブロック別平面プランを多数準備することができる。また、平面プランの作成段階では、一般に通路を中心としてプランを作成することになるが、この場合に各ブロック別平面プランが通路別に大別されていると、選択が行い易く、平面プランの作成が一層容易になる。
【００１２】
【実施例】
この発明の一実施例を図１ないし図１４に基づいて説明する。この実施例の建物の平面プラン作成装置は、事務所建築、特に工場内事務所を想定したものである。まず、この平面プラン作成装置を用いる平面プラン作成方法を説明する。
図１は平面プラン作成過程の概要を示す。まず、同図（Ａ）に示すように、建物の全体に対して、主要出入口と通用口とを配置する。工場内事務所の場合、このように出入口を２箇所に設けることが多い。次に、各用途別スペースの配置、いわゆるゾーニングを行う。このゾーニングでは、出入り口から通路の位置を想定し、通路を中心として、玄関階段スペース、便所，給湯室等の衛生設備スペース、会議室，応接室等の執務補助スペース、一般の事務スペース等の大まかな配置を決める。この他、役員スペースや、更衣室，休息室等の厚生施設スペース等も必要に応じて定める。
【００１３】
ゾーニングが終わると、図１（Ｂ）のように、各スペースの標準的規模を踏まえ、諸室および通路等を一定のブロックＢに区分する。１つのブロックＢは、方形の区画とし、その１辺の長さは通常のモジュールＰの整数倍とする。図示の例では、１つのブロックＢは、１辺の長さがａの正方形としてある。１辺の長さがモジュールＰの８倍の場合は、モジュールＰが一般的な９００mmであると、ブロックＢの１辺の長さａは７．２ｍとなる。
【００１４】
この後、各ブロックＢに、図１（Ｃ）のようにブロック別平面プランＢＰを選んで割り付け、全体の平面プランが完成する。ブロック別平面プランＢＰは、後述のように予め詳細設計や、価格設定、ブロック間の接合部等の検討を行って準備しておく。
【００１５】
準備するブロック別平面プランＢＰは、会議室用や衛生設備用等の用途別に種々設けられるものであり、この中で通路１を設けるものは、図２（Ａ）〜（Ｃ）に示すように通路形式によって３種類に大別されるものとする。すなわち、図２（Ａ）のようにブロックの１辺と平行な直線通路１を有する種類（Ｉ型）と、同図（Ｂ）のようにブロックの隣合う２辺に沿うＬ形の通路１を有する種類（Ｌ型）と、ブロックの１辺の外側に沿う通路１を想定した種類（オーバーブロック型）とに大別する。
【００１６】
これらのブロック別平面プランＢＰは、図３に示すように内部を均等な小ブロックＳＢに区画し、通路パターンを設定する。小ブロックＳＢは、例えば１辺の長さが前記のモジュールＰに等しい正方形とし、通路幅は２Ｐの幅を基準としてある。Ｉ型のブロック別平面プランＢＰについては、小分類として、図３（Ａ）に示すように、通路幅が２Ｐの種類と、３Ｐの種類と、ブロック幅を半分に区切ってその一方の全体または一部を通路１としたハーフブロック型とに分類している。このＩ型の３種類と、Ｌ型と、オーバーブロック型との５つの基本パターンの各々について、各用途別に設計を行った個別のブロック別平面プランＢＰを、後述のように準備する。
【００１７】
図４に示すように、各ブロック別平面プランＢＰは、原則として、対称軸Ｘ，Ｙ回りの反転と、対角線Ｕ回りの反転と、任意ブロックＢへの移動とが自由なものとする。なお、図４で示した網点部分は、通路を図示したものではなく、反転の様子を分かり易くするために示した所定領域である。
【００１８】
図５に示すように、各ブロック別平面プランＢＰは、躯体構造的には、外壁を有しない（Ａ）のものを基本モデルとし、この他に１面に外壁２を有するモデル（Ｂ）と、２面に外壁２を有するモデル（Ｃ）とを準備する。
【００１９】
図６ないし図９は、ブロック別平面プランＢＰの基本的な躯体構造と、その配置想定箇所とを示す。図６（Ａ）は図５（Ａ）の基本モデルの具体構造であり、４隅に柱  を有し、対向する２面に間仕切壁４を有するものとしてある。柱３は、鉄骨柱をカバーで覆った柱型として図示してある。間仕切壁４は自由に設置および省略するものとする。この基本モデルのブロック別平面プランＢＰは、図６（Ｂ）に網点部分で示すブロックＢのように、外壁に沿わないブロックＢに配置するものである。後に説明する図１１および図１２の各ブロック別平面プランＢＰは、原則としてこの基本モデルで図示してある。なお、玄関・階段・衛生設備用のブロック別平面プランＢＰでは、基本モデルで表現していないものもあるが、これらの平面プランＢＰも基本モデルで表現することができる。
外壁面に接するブロックでは、図５（Ｂ），（Ｃ）の１面または２面に外壁２を有するモデルのブロック別平面プランＢＰとする。その具体的構造と配置箇所の例を、図７および図８に示す。
図９（Ｂ）に示すように、４隅にブレースを設ける建物に対しては、同図（Ａ）のブレース付きモデルのブロック別平面プランＢＰを準備する。このモデルは、２面外壁タイプのモデルにおいて、外壁２の３Ｐの幅内にブレース５を設けた構造としてある。
【００２０】
なお、図６ないし図９に示した各モデルにおいて、柱３および間仕切壁４は、隣に配置されるブロック別平面プランＢＰと共用されるものである。換言すれば、ブロック別平面プランＢＰの相互間の接合は、片方のブロック別平面プランＢＰにつき、柱３および間仕切壁４を省略した形態で行われることになる。
【００２１】
図１０は、ブロック別平面プランＢＰにおける柱３と外壁２の納まり例を示す。外壁２は、柱３および梁６の芯および表面から所定寸法Ｌ１，Ｌ２だけ外側に壁芯が来るように設けられる。外壁２には、例えばパネルフレームに外装面材を張付けた外壁パネル等が使用される。
【００２２】
図１１ないし図１４は、ブロック内の間仕切壁や据え付け設備と共に、配置家具を図示した個々のブロック別平面プランＢＰの実例を示した図である。
図１１は、通路分類が２Ｐ幅と３Ｐ幅のＩ型、およびハーフブロック型のいずれかであって、用途分類が更衣ブロック、会議ブロック、および役員室ブロックのいずれかであるブロック別平面プランＢＰの各例を示す。
図１２は、通路分類がＬ型またはオーバーブロック型であって、用途分類が更衣室ブロック、会議室ブロック、役員室ブロックのいずれかであるブロック別平面プランＢＰの各例を示す。
図１３は、通路分類が小分類の基本５種類のいずれかであって、用途分類が衛生設備ブロックとなる各ブロック別平面プランＢＰの例を示す。構造的には、１面外壁の種類と、２面外壁で強軸を配置した種類と、２面外壁で弱軸を配置した種類との各々につき個別のブロック別平面プランＢＰを準備してある。なお、一部のブロック別平面プランＢＰについては図示を省略してある。
【００２３】
図１４は、前記の３種類に大別される通路形式に含まれないブロック別平面プランＢＰの例を主に示す。同図（Ａ）は玄関ブロック、（Ｂ）は階段ブロック、（Ｃ）は玄関＋階段ブロック、（Ｄ）は衛生＋階段ブロックの例を各々示す。このうち、（Ｃ）はＩ型の通路形式の通路１を有するものである。
図１４（Ｅ）および（Ｆ）は、無仕切りの空間としたブロック別平面プランＢＰにつき家具の配置を示した事務室ブロックおよび食堂ブロックの例である。このようなブロック別平面プランＢＰも、検討用に準備しておく。
【００２４】
図１（Ｃ）に示したブロック別平面プランＢＰの割り付け過程では、このように準備された各ブロック別平面プランＢＰから、希望のものを選んで各ブロックＢに割り付ける。なお、オーバーブロック型の通路形式のブロック別平面プランＢＰは、その隣に必ずしも専用の通路が配置される場合だけでなく、単に開放された空間がある場合、例えば図１４（Ｅ）のようなブロック別平面プランＢＰが隣に配置される場合等にも割り付けることができる。
【００２５】
この平面プラン作成方法によると、このように予め準備されたブロック別平面プランＢＰの組み合わせで全体の平面プランを作成するので、詳細設計を事前にしておくことができて、プランニングに際しての詳細な検討が軽減され、省力化できる。しかも、ブロック別平面プランＢＰの中で通路１を有するものは、直線通路１を有する種類と、Ｌ形通路１を有する種類と、ブロック外に沿う通路１を想定した種類との３種類に大別されるものとしたため、ブロック別平面プランＢＰの選択が容易で、かつ準備するブロック別平面プランＢＰを少ない種類数として様々な要望に対応させることができる。
【００２６】
図１５は、この発明の一実施例にかかる平面プラン作成装置のブロック図である。この装置は、いわゆるＣＡＤ装置からなり、平面プラン作成補助装置３１と、諸データ記憶手段３２と、割付け作画手段３３と、キーボート，マウス等の入力手段３４と、ＣＲＴ等の図形表示手段３５と、グラフィックプリンタ３６とを備える。平面プラン作成補助装置３１は、前記各ブロック別平面プランＢＰを記憶したフロッピィーディスク，ハードディスク，または光ディスク等の記憶媒体からなる。割付け作画手段３３は、ＣＰＵ、メモリ装置、および外部記憶手段のドライブ装置等からなり、メモリ装置には所定の動作を行わせるプログラムが書き込まれている。このプログラムにより、割付け作画手段３３は、入力装置３４の入力に従い、平面プラン作成補助装置３１に記憶された任意のブロック別平面プランＢＰを図形表示装置３５の画面に表示すると共に、画面上で建物全体の図に対してブロック別平面プランＢＰの図を割り付け可能としてある。また、割付け作画手段３３は、建物全体の図形等の自由な作画を可能としてある。平面プラン作成補助装置３１と、割付け作画手段３３の割付け作画用プログラムとは、同じ記憶媒体に記憶させたものとしても良い。平面プラン作成補助装置３７には、図形データの他に、各ブロック別平面プランＢＰ毎に価格データ等の付属データを記憶させておく。このような平面プラン作成装置を使用することにより、前記の平面プランの作成がより一層簡単に行える。
【００２８】
【発明の効果】
この発明の建物の平面プラン作成装置は、各ブロック別平面プランを記憶した平面プラン作成補助装置と、入力装置の入力に従い、前記平面プラン作成補助装置に記憶された任意のブロック別平面プランを図形表示装置の画面に表示すると共に、画面上で建物全体の図に対してブロック別平面プランの図を割り付け可能で、かつ建物全体の図形等の自由な作画が可能な割付け作画手段を備え、予め準備されたブロック別平面プランの組み合わせで全体の平面プランを作成するものとし、かつブロック別平面プランの中で通路を有するものは、直線通路を有する種類と、Ｌ形通路を有する種類と、ブロック外に沿う通路を想定した種類との３種類に大別されるものとしたため、詳細設計を事前にしておくことができて、プランニングに際しての詳細な検討が軽減され、省力化できる。特に、ブロック別平面プランをこのように通路を中心とした３種類に大別されるものとしたため、無駄にブロック別平面プランの種類数を増やす必要がなく、かつブロック別平面プランの選択も行い易い。そのため、平面プランの作成が容易に行え、プランの変更も簡単となる。
したがって、設計の専門知識の少ない営業マン等によっても、施主へのプランの作成、提案が可能となり、また提案が早く行える。また、ブロック別平面プラン毎に価格設定することで、概算価格の積算を簡単に行って顧客に提示することができる。さらに、詳細設計が予めブロック別平面プランの作成段階で行えることから、次工程でのミスも少なくなり、またブロックの定形化で構造躯体が標準化でき、部品種類数が削減されて、生産効率の向上や原価低減も図れる。
【図面の簡単な説明】
【図１】  この発明の一実施例にかかる平面プラン作成装置を用いる平面プラン作成方法の手順の説明図である。
【図２】そのブロック別平面プランの通路形式による大分類の説明図である。
【図３】ブロック別平面プランの通路形式による小分類の説明図である。
【図４】ブロック別平面プランの反転配置の説明図である。
【図５】ブロック別平面プランの構造的種類の説明図である。
【図６】ブロック別平面プランにおける躯体構造的に分類した基本モデルとその配置箇所との説明図である。
【図７】ブロック別平面プランにおける１面外壁モデルとその配置箇所との説明図である。
【図８】ブロック別平面プランにおける２面外壁モデルとその配置箇所との説明図である。
【図９】ブロック別平面プランにおけるブレース付きモデルとその配置箇所との説明図である。
【図１０】ブロック別平面プランの柱と外壁との納まりを示す水平断面図である。
【図１１】通路形式がＩ型の個別のブロック別平面プラン例を示す説明図である。
【図１２】通路形式がＬ型およびオーバーブロック型の個別のブロック別平面プラン例を示す説明図である。
【図１３】各通路形式における衛生設備用の各ブロック別平面プラン例を示す説明図である。
【図１４】他の各種のブロック別平面プラン例を示す説明図である。
【図１５】  この発明の一実施例にかかる平面プラン作成装置の機能ブロック図である。
【図１６】従来の平面プラン作成方法の手順を示す説明図である。
【符号の説明】
Ｂ…ブロック、ＢＰ…ブロック別平面プラン、１…通路、２…外壁、３…柱、４…間仕切壁、３１…平面プラン作成補助装置、３３…割付け作画手段
【図１】
0003801216.tif 000002
【図２】
0003801216.tif 000003
【図３】
0003801216.tif 000004
【図４】
0003801216.tif 000005
【図５】
0003801216.tif 000006
【図６】
0003801216.tif 000007
【図７】
0003801216.tif 000008
【図８】
0003801216.tif 000009
【図９】
0003801216.tif 000010
【図１０】
0003801216.tif 000011
【図１１】
0003801216.tif 000012
【図１２】
0003801216.tif 000013
【図１３】
0003801216.tif 000014
【図１４】
0003801216.tif 000015
【図１５】
0003801216.tif 000016
【図１６】
0003801216.tif 000017